(57)【要約】【課題】  土木又は建築現場等に設置され、工事名、工事場所および工事内容等を能率良く表示することができると共に、工事の進行状況を容易に且つ短時間に告知することができる表示具を提供すること。【解決手段】  この表示具は、基板１と、この基板１に取り付けられる複数の表示板２と、これら複数の表示板２を取り外し可能に取り付けるための取付手段３とを備え、表示板２のそれぞれには表示すべき表示事項５が記入される記入部５が設けられている。【選択図】  図１
2006208981.tif 000002
【特許請求の範囲】
【請求項１】
基板と、該基板に取り付けられる複数の表示板と、前記基板に設けられ前記複数の表示板のそれぞれを取り外し可能に取り付けるための取付手段とを備え、前記表示板のそれぞれには、表示すべき表示事項が記入される記入部が設けられていることを特徴とする表示具。
【請求項２】
前記基板は、表示事項を記入可能な記入部を有することを特徴とする請求項１記載の表示具。
【請求項３】
前記取付手段は、前記表示板のそれぞれを差し替え可能に収容し得る枠部から成っていることを特徴とする請求項１記載の表示具。
【請求項４】
前記取付手段は、前記複数の表示板を重ねた状態で収容し、該重ねられた表示板の一枚一枚を引き出すことができる枠部から成っている請求項１記載の表示具。
【請求項５】
前記枠部は、表示板の周縁部を収納するための溝部を有している請求項３又は４記載の表示具。
【請求項６】
前記基板は、表示事項を記入可能な記入部を有し、前記表示板の記入部に記入される表示事項は、前記基板の記入部に記入される表示事項と関連性を有することを特徴とする請求項１記載の表示具。
【請求項７】
前記表示板の記入部に記載される事項が、該記入部に手書きによって記入されることを特徴とする請求項１記載の表示具。
【請求項８】
前記表示板の記入部に記載される事項が、該事項を記載した紙を記入部に貼り付けることによって記入部に記入されることを特徴とする請求項１記載の表示具。
【請求項９】
前記記載される事項は紙に印刷によって記載されることを特徴とする請求項７記載の表示具。
【請求項１０】
前記基板の記入部に記載される事項が、該記入部に手書きにとって記載されることを特徴とする請求項２記載の表示具。
【請求項１１】
前記基板の記入部に記載される事項は、工事名、工事場所および工種であり、前記表示板のそれぞれの記入部に記載される事項は、前記基板の記入部に記載された工事における各工程であることを特徴とする請求項２記載の表示具。
【請求項１２】
前記複数の表示板は、工事の最初の工程を示す表示板から最後の工程を示す表示板まで取付手段に順次取り付けられることを特徴とする請求項１０記載の表示具。
【請求項１３】
前記複数の表示板は、工事の最初の工程を示す表示板から最後の工程を示す表示板までの一部又は全部が重ねて配置されて取付手段に取り付けられ、前記複数の表示板を、最初の工程を示す表示板から最後の工程を示す表示板まで取付手段から順次引き出すことによって各工程が順次表示されることを特徴とする請求項１０記載の表示具。
【請求項１４】
前記基板には、該基板を立てかけるための衝立手段が設けられていることを特徴とする請求項１記載の表示具。
【発明の詳細な説明】
【技術分野】
【０００１】
本発明は、表示事項を告知あるいは掲示する表示具に関し、更に詳細には、土木又は建築現場に設置され、工事名、工事場所および工事内容等を能率良く表示することができると共に、工事の進行状況を告知することができる表示具に関するものである。
【背景技術】
【０００２】
一般に、土木の工事現場において、工事に関する事項、例えば、工事名、工種等と共に、工事の各工程を表示する表示具を立てかけ、工程毎に写真にとって、工事の進行状況を役所に報告することが必要である。従来、このような表示具では、工事に関する事項を一枚の板に白墨等で記載し、作業内容が変更する度に作業内容の書き直しが行われていた。
【０００３】
一方、従来、工事の安全のために注意事項を作業員に知らせるための掲示板装置が知られている（特許文献１参照）。この掲示板装置は、支持枠に嵌合された掲示板に、安全事項が記載された複数の表示シートを取り付けて作業員に安全を喚起させるようにしている。
【０００４】
しかしながら、作業内容が変更する度に作業内容の書き直しを行う上記の如き表示具では、多数の工程数を有する作業の場合、書き直す作業がきわめて大変でありかつ多大な時間を要していた。
【０００５】
また、上記特許文献１に示された掲示板装置は、工事の安全を表示することを目的とし、この目的を達成するために、支持枠に嵌合された掲示板に複数の表示シートを取付けて工事の安全を作業員に告知するようにしているので、工事名等と関連して、工事内容を表示したり工事の進行状況を告知したりすることができなかった。
【特許文献１】実用新案登録第３０６２９４３号公報
【発明の開示】
【発明が解決しようとする課題】
【０００６】
そこで、本発明の目的は、土木又は建築現場等に設置され、工事名、工事場所および工事内容等を能率良く表示することができると共に、工事の進行状況を容易に且つ短時間に告知することができる表示具を提供することにある。
【課題を解決するための手段】
【０００７】
かかる目的を達成するために、本発明の表示具は、基板と、この基板に取り付けられる複数の表示板と、これら複数の表示板を取外し可能に取り付けるための取付手段とを備え、表示板のそれぞれには表示すべき表示事項が記入される記入部が設けられていることを特徴とする。
【０００８】
具体例では、基板は、表示事項を記入可能な記入部を有し、この基板の記入部に記載される事項は、工事名、工事場所および工種などである。表示板の記入部に記載される事項は、基板に記入された工事の工程である。基板には複数の表示板が一枚一枚又は重ねた状態で取り付けられる。例えば、工事の全工程における各工程が複数の表示板のそれぞれの記入部に記入される。一実施例では、最初の工程を示す表示板から最後の工程を示す表示板まで各表示板を基板に順次取り付けるようにする。他の実施例では、最初の工程を示す表示板から最後の工程を示す表示板までの一部または全部の表示板を重ねて基板に取り付け、最初の工程を示す表示板から最後の工程を示す表示板まで基板から順次取り外すようにする。
【発明の効果】
【０００９】
本発明によれば、複数の表示板のそれぞれに、作業の全工程における最初の工程から最後の工程までの各工程を表示しておき、作業が変わる度に表示板を差し替えて実施している作業の内容を表示し且つ告知するようにしたので、従来技術のように一々不必要な事項を消去し、新たな事項を書き入れるか、又は、不必要な事項を書いた紙を新しい事項を書いた紙に貼りかえるという作業が必要でなく、従って、工事作業を円滑に進めることができる。
【発明を実施するための最良の形態】
【００１０】
以下、本発明の実施の形態を、図面に示された実施例について詳細に説明する。図１には本発明に係る表示具が示され、この表示具は、基板１と、この基板１に取り付けられる複数の表示板２と、これら複数の表示板２を取外し可能に取付けるための取付手段３とを備えている。
【００１１】
基板1は、一実施例では、矩形の形状を有し、例えば、その上部に設けられた記入部４を有する。この記入部４には、表示事項５が記入される。
【００１２】
取付手段３は、例えば、基板１の下部に設けられ表示板２を収容可能な枠部６から成っている。この枠部６は、図１および図２に示すように、基板１の３つの周辺に連続して配置され、基板１の表面との間で表示板２の周縁部を収納するための溝部７を形成するフレーム８と、基板１の一つの周辺に設けられて表示板を挿入するための挿入開口９とを有する。
【００１３】
この枠部６は、一実施例では、複数の表示板２を一枚づつ、収容可能である。更に詳細には、一枚の表示板２を収容し、この収容された表示板２を引き出して他の一枚の表示板２を収容することができるような差し替え可能な構成を有する。また他の実施例では、この枠部６は、複数の表示板２を重ねた状態で保持しこれら重ねられた表示板２の一枚一枚を引き出すことができるように構成されている。
【００１４】
図１に示された実施例では、３枚の表示板２が重ねて配置され、これら重ねられた表示板２は、挿入開口９を通して溝部７内に収容され、また、これとは反対に、表示板２を、この溝部７から挿入開口９を通して一枚一枚引き出すことができるように構成されている。
【００１５】
表示板２のそれぞれには、記入部１０が設けられている。この記入部１０は、図１には重ねられた３枚の表示板２のうち、最上部の表示板２にのみ示されている。この記入部１０には表示すべき表示事項１１が記入される。この表示板２の記入部１０に記入される表示事項１１は、基板１の記入部４に記入される表示事項５と関連性を有する。
【００１６】
例えば、上記表示具が工事現場において、作業内容を表示する場合に適用された場合、基板１の記入部４に記入される表示事項５は、図１に示すように、工事名、工事場所、工種および測点であり、表示板２のそれぞれの記入部１０に記載される表示事項１１は、基板１の記入部５に記載された工事のための各工程である。これによって、基板１に記入された工事名等と、表示板２に記入された工程等によって、作業内容が表示される。
【００１７】
更に詳細に述べると、図３乃至図６に示すように、一枚目の表示板２Ａの記入部１０には工事の最初の工程、例えば、“機械掘削状況”が記入され、２枚目の表示板２Ｂの記入部１０には工事の中間の工程、例えば、“縁石均しコンクリート型枠完了”が記入され、３枚目の表示板２Ｃの記入部１０には工事の最後の工程、例えば、工事の各寸法表示が数字入りで記入される。基板１の記入部４には、工事名として、各工程に共通な例えば“線橋梁工事”が記入されている（図４乃至図６参照）。基板１の記入部４には、他の工事場所等の記入が省略されている。
【００１８】
尚、図示の実施例では、３枚の表示板について述べたが、この数に限定されず、表示板２の数は、工事の工程数の数によって定められる。
【００１９】
基板１の記入部４に記載される表示事項５、この実施例では、工事名等と、表示板２の記入部１０に記入される表示事項１１、この実施例では、工事の工程とは、記入部４および記入部１０にそれぞれ、例えば、白墨等を用いて手書きによって記載されてもよい。
【００２０】
また、表示板２の記入部１０に記載される表示事項１１は、この事項を記載した紙（図示せず）を記入部１０に貼り付けることによって、記入部１０に記入することもできる。この場合、紙に記載される事項を、印刷によって紙に記載することができる。このような紙の添付および紙への印刷は、基板１の記入部４にも同様に適用することができる。
【００２１】
基板１には、図７に示すように、衝立手段２０を設けることもできる。この衝立手段２０は、表示板２を取り付けた基板１を作業現場に設置するためのものである。この衝立手段２０は、一実施例では、図７に示すように、基板１の背面に取り付けられたヒンジ２１と、一端部がこのヒンジ２１に回転可能に取り付けられた衝立部材２２とを有する。この衝立部材２２は、図７に実線で示す使用位置と二点鎖線で示す格納位置との間に、図７に矢印で示すように移動可能である。表示具を運搬等するとき、衝立部材２２を格納位置に配置する。工事現場において、衝立部材２２を使用位置に配置し、表示具を工事現場の任意の位置で地面に立て掛けるようにする。
【００２２】
次に、上記表示具の使用状態を説明する。先ず、上記表示具を工事現場に立て掛ける。基板１の記入部４には工事名等が記入される。複数の表示板２のそれぞれの記入部１０には実施すべき工事の全工程における各工程がそれぞれ記入される。工事の最初の工程の実施に際し、この工事の最初の工程、“機械掘削状況”が記入された表示板２Ａが枠部６に挿入される。次に、中間の工程の実施の開始に際し、表示板２Ａを枠部６から外し、この中間の工程、“縁石均しコンクリート型枠完了”が記入された表示板２Ｂを枠部６に挿入する。次いで、最後の工程の実施の開始に際し、表示板２Ｂが枠部６から外し、最後の工程、即ち、工事の各寸法が記入された表示板２Ｃが枠部６に挿入される。この結果、各工程が表示され告知される。これとは別に、表示板２Ａ，２Ｂおよび２Ｃを上から順に重ねて枠部６に挿入しておき、最初の工程を表示した後、この最初の工程を示す表示板２Ａを枠部６から外す。これによって、次の中間の工程が示される。このように、各工程を示す表示板を枠部６から順次抜き取っていくことによって各工程を表示し告知することができる。上記各工程の告知の方法は、例えば、各工程の実施の開始時、実施中、実施の終了時などにおいて、各工程の表示板２が挿入された表示具を各工事現場と一緒に写真を撮ることによって行なわれる。
【００２３】
上記のように、基板１に記入された工事名等について、最初の工程、中間の工程および最後の工程の内容が順次表示されて作業者および作業者以外の者に告知される。作業者は、各工程毎に写真を撮って役所等に報告する資料とすればよい。このように、作業者は、工程が変わる度に表示板を単に枠部から引き出したり、収容したりすればよい。
【００２４】
以上の如く、本発明を、土木工事の作業内容について適用した場合の実施例が述べられてきたが、本発明はこのような実施例に限定されるものでない。
【図面の簡単な説明】
【００２５】
【図１】工事現場に設置され表示板を基板に取り付けようとしている状態を示す本発明に係る表示具の斜視図である。
【図２】図１のＡ−Ａ線断面図である。
【図３】各作業工程を示す複数の表示板を基板に取り付ける状態を示す図１の表示具。
【図４】最初の作業工程を示す表示板を基板に取り付け、次の中間の作業工程を示す表示板を最初の工程を示す表示板に代わって基板に取り付けようとしている状態を示す表示具の正面図である。
【図５】中間の作業工程を示す表示板を基板に取り付け、次の最終の作業工程を示す表示板を中間の工程を示す表示板に代わって基板に取り付けようとしている状態を示す表示具の正面図である。
【図６】最終の作業工程を示す表示板を基板に取り付けた状態を示す表示具の正面図である。
【図７】衝立手段を示す表示具の背面斜視図である。
【符号の説明】
【００２６】
１  基板
２、２Ａ，２Ｂ，２Ｃ  表示板
３  取付手段
４  記入部
５  表示事項
６  枠部
７  溝部
９  挿入開口
１０  記入部
【図１】
2006208981.tif 000003
【図２】
2006208981.tif 000004
【図３】
2006208981.tif 000005
【図４】
2006208981.tif 000006
【図５】
2006208981.tif 000007
【図６】
2006208981.tif 000008
【図７】
2006208981.tif 000009